(57)【要約】【課題】パチンコ機の遊技盤の交換作業能率向上と遊技盤の大型化及び球発射装置の小型化・低消費電力化の要求を満たすことができるようにする。【解決手段】パチンコ機１１の前面側に設けられた遊技盤２０の前面上部又は前面中間部に、遊技領域２２へパチンコ球を発射する球発射装置１７を設ける。これにより、球発射装置１７のパチンコ球の打ち上げ距離を短くすると共に、遊技盤２０の下方への拡大が球発射装置１７で制限されないようにする。また、遊技盤２０の交換時には、球発射装置１７を取り付けた状態の遊技盤２０を交換する。これにより、遊技盤２０の交換時にパチンコ球の飛び具合を調整し直す必要がなくなる。尚、球発射装置１７の前面側には、装飾カバー２６を取り付け、この装飾カバー２６によって球発射装置１７を覆い隠して遊技者側から見えないようする。【選択図】　図１
2004008353.tif 000002
【特許請求の範囲】
【請求項１】
遊技盤の前面に設けられた遊技領域へパチンコ球を発射する球発射装置を備えたパチンコ機において、
前記遊技盤の前面に、前記球発射装置が設けられていることを特徴とするパチンコ機。
【請求項２】
前記球発射装置は、前記遊技盤の前面上部又は前面中間部に設けられていることを特徴とする請求項１に記載のパチンコ機。
【請求項３】
前記遊技盤には、前記球発射装置がパチンコ球を発射する毎に次に発射するパチンコ球を該球発射装置に供給する整流器が設けられていることを特徴とする請求項１又は２に記載のパチンコ機。
【請求項４】
前記球発射装置を覆う装飾カバーが設けられていることを特徴とする請求項１乃至３のいずれかに記載のパチンコ機。
【請求項５】
前記球発射装置は、駆動源としてリニアソレノイドが用いられ、該リニアソレノイドのプランジャに、パチンコ球を打撃する打球部が設けられていることを特徴とする請求項１乃至４のいずれかに記載のパチンコ機。
【発明の詳細な説明】
【０００１】
【発明の属する技術分野】
本発明は、遊技盤の前面に設けられた遊技領域へパチンコ球を発射する球発射装置を備えたパチンコ機に関するものである。
【０００２】
【従来の技術】
従来の一般的なパチンコ機は、遊技盤の前面にパチンコ球が転動する遊技領域を形成して、この遊技盤の下方に球発射装置を配置し、この球発射装置からパチンコ球を発射して遊技盤の遊技領域にパチンコ球を打ち込むようにしている。
【０００３】
【発明が解決しようとする課題】
しかし、上記従来のパチンコ機は、遊技盤と球発射装置が別々に設けられているため、デザインや遊技内容等の変更のために遊技盤を交換すると、遊技盤の組付誤差等によって遊技盤と球発射装置との位置関係が微妙にずれて、パチンコ球の飛び具合が変わってしまうおそれがある。このため、遊技盤の交換時にパチンコ球の飛び具合を調整し直す必要があり、遊技盤の交換作業に非常に手間が掛かるという欠点がある。
【０００４】
また、上記従来のパチンコ機は、遊技盤の下方に球発射装置が配置されているため、遊技盤の下方への拡大が球発射装置で制限されてしまい、遊技盤を大型化することが困難である。しかも、球発射装置は、遊技盤の下方から遊技盤の上部付近までパチンコ球を打ち上げる必要があるため、パチンコ球の打ち上げ距離が長くなってしまい、その分、大きな発射力の駆動源が必要になるため、球発射装置が大型化すると共に、球発射装置の消費電力が多くなるという欠点もある。
【０００５】
本発明はこれらの事情を考慮してなされたものであり、従ってその目的は、遊技盤の交換作業を能率良く行うことができると共に、遊技盤の大型化や球発射装置の小型化・低消費電力化の要求も満たすことができるパチンコ機を提供することにある。
【０００６】
【課題を解決するための手段】
上記目的を達成するために、本発明の請求項１のパチンコ機は、遊技盤の前面に、球発射装置を設けた構成としたものである。この構成では、遊技盤を交換すると、この遊技盤と一体に球発射装置も交換されるので、新たに組み付ける遊技盤は、遊技盤と球発射装置との位置決め状態を維持したままパチンコ機に組み付けることができる。これにより、遊技盤の交換時に遊技盤と球発射装置との位置関係がずれることが全くなくなり、遊技盤の交換時にパチンコ球の飛び具合を調整し直す必要がなくなる。
【０００７】
尚、遊技盤の前面にパチンコ球を打撃する打球部を設け、この打球部を駆動する駆動源をパチンコ機の本体側に設けた構成にした場合でも、遊技盤の交換時に遊技盤と打球部との位置決め状態を維持したまま遊技盤をパチンコ機に組み付けることができるが、この場合、遊技盤の交換時に打球部と駆動源とを切り離す作業と連結する作業が必要になり、その分、遊技盤の交換作業の工数が増加する。その点、本発明では、遊技盤に球発射装置全体（打球部、駆動源等）を設けるので、遊技盤の交換時に打球部と駆動源とを切り離す作業と連結する作業が不要になり、遊技盤の交換作業の工数を少なくすることができる。
【０００８】
また、遊技盤の下方には球発射装置を配置しないので、遊技盤の下方への拡大が球発射装置で制限されることがなくなる。しかも、本発明のように、遊技盤の前面に球発射装置を設ければ、遊技盤の下方に球発射装置を設ける場合に比べてパチンコ球の打ち上げ距離を短くすることができるので、球発射装置の発射力を小さくすることができ、その分、球発射装置の小型化や球発射装置の低消費電力化が可能となる。
【０００９】
この場合、請求項２のように、遊技盤の前面上部又は前面中間部に、球発射装置を設けるようにすると良い。このようにすれば、遊技盤の下方に球発射装置を設ける場合に比べてパチンコ球の打ち上げ距離を大幅に短くすることができ、球発射装置を更に小型化・低消費電力化することが可能となる。
【００１０】
ところで、球発射装置の発射位置に供給されたパチンコ球に後続のパチンコ球が接触した状態で、パチンコ球を発射すると、後続のパチンコ球の圧力によってパチンコ球の飛び方向や飛び力が不安定になってパチンコ球の飛びむらが発生する可能性がある。
【００１１】
そこで、請求項３のように、球発射装置がパチンコ球を発射する毎に次に発射するパチンコ球を該球発射装置に供給する整流器を遊技盤に設けるようにしても良い。この構成では、球発射装置の発射動作毎に整流器によってパチンコ球が１個ずつ球発射装置に供給されるため、発射するパチンコ球が後続のパチンコ球の圧力を受けずに発射されるようになり、パチンコ球の飛び方向や飛び力を安定させることができ、パチンコ球の飛びむらを少なくすることができる。しかも、整流器と球発射装置を両方とも遊技盤に設けるようにしたので、例えば整流器をパチンコ機本体側に設けた構成とした場合と異なり、遊技盤の交換時に球発射装置と整流器との位置調整作業が不要となる。但し、本発明は、整流器をパチンコ機本体側に設けた構成としても良い。
【００１２】
ところで、本発明のように、遊技盤の前面に球発射装置を設けると、パチンコ機の前面のガラス窓から球発射装置が遊技者側に見えてしまい、遊技者に違和感を感じさせてしまう可能性がある。そこで、球発射装置が遊技者側から見えないようにするために、ガラス窓の枠部分を幅広に形成して、ガラス窓の枠部分で球発射装置を覆い隠すようにしても良いが、ガラス窓の枠部分を幅広に形成すると、その分、ガラス窓の面積が狭くなって、遊技領域が狭くなってしまう。
【００１３】
そこで、請求項４のように、球発射装置を覆う装飾カバーを設けるようにすると良い。このようにすれば、球発射装置を装飾カバーで覆い隠して遊技者側から見えないようにすることができるので、遊技盤の前面に球発射装置を設けても、遊技者に違和感を感じさせずに済むと共に、ガラス窓の面積、ひいては遊技領域を狭くせずに済む。
【００１４】
また、請求項５のように、球発射装置の駆動源としてリニアソレノイドを用い、該リニアソレノイドのプランジャに、パチンコ球を打撃する打球部を設けた構成すると良い。このようにすれば、リニアソレノイドと打球部とを直線的にコンパクトに配置した構成とすることができるので、例えば、ロータリーソレノイドやモータでレバー形状の打球槌を回転させてパチンコ球を発射する構成と比較して、球発射装置を小型化することができる。しかも、リニアソレノイドは、ロータリソレノイドやモータに比べて安価である。
【００１５】
【発明の実施の形態】
以下、本発明の一実施形態を図面に基づいて説明する。
まず、図２に基づいてパチンコ機の裏面側の概略構成を説明する。パチンコ機１１の裏面側上部には、パチンコ島の球補給装置（図示せず）からパチンコ球が補給される球タンク１２が設けられ、この球タンク１２には、そこから流れ出るパチンコ球を整列状態で流下させる払出球用流下路１３と発射球用流下路１４とが設けられている。球タンク１２は、球タンク１２内のパチンコ球を払出球用流下路１３よりも発射球用流下路１４に優先的に流下させるように構成されている。尚、払出球用流下路１３と発射球用流下路１４は、パチンコ機の上下方向に並べて設けるようにしても良いが、パチンコ機の前後方向に並べて設けるようにしても良い。
【００１６】
払出球用流下路１３は、例えば２条の流路で構成され、球供給路１５を介して球払出装置１６に接続されている。一方、発射球用流下路１４は、例えば１条の流路で構成され、後述する球発射装置１７に接続されている。発射球用流下路１４の途中（例えば球発射装置１７の上流近傍）には、球止め部材１８が設けられ、球発射装置１７の修理・点検時等に、作業者がこの球止め部材１８を下方に回動して発射球用流下路１４内に突出させることで、発射球用流下路１４内のパチンコ球の流れを球止め部材１８で止めることができるようになっている。これにより、球タンク１２内や発射球用流下路１４内のパチンコ球を抜き取ることなく、球発射装置１７の修理・点検等を行うことができるようになっている。また、球タンク１２には、球タンク１２内のパチンコ球の残量が少なくなった（又は空になった）ことを検出するタンク内球切センサ１９が設けられている。
【００１７】
次に、図１に基づいてパチンコ機の前面側の概略構成を説明する。パチンコ機１１の前面側には、遊技盤２０が取り付けられている。この遊技盤２０の前面に取り付けられたレール２１等によって、遊技盤２０の前面に、パチンコ球が転動する遊技領域２２が区画形成され、この遊技領域２２の中央部に、センター役物２３が設けられている。このセンター役物２３の下方には、始動入賞口２４と可変入賞装置２５が設けられ、これ以外の遊技領域２２の複数箇所に、通常の入賞口や入賞装置（図示せず）が設けられている。
【００１８】
また、遊技盤２０の前面上部又は前面中間部の左側には、遊技領域２２へパチンコ球を発射する球発射装置１７が設けられている。この球発射装置１７の前面側には、後述する装飾カバー２６が取り付けられている。一方、遊技盤２０の右側には、装飾カバー２６を取り付けた球発射装置１７と同じ外観形状（但し対称形状）に形成された装飾部材２７が設けられている。また、遊技盤２０の前面側には、ガラス窓２８が開閉可能に設けられている。
【００１９】
一方、パチンコ機１１の前面側下部には、上球皿２９、下球皿３０、球発射装置１７の発射操作ハンドル３１等が設けられている。球払出装置１６（図２参照）から払い出されたパチンコ球（賞球又は貸球）は、球流下路（図示せず）を通って上球皿２９内に流入する。この上球皿２９の下流側には、球発射装置１７がパチンコ球を発射する毎に上球皿２９内のパチンコ球を機外（パチンコ島側）に送り出す球送出装置３２（図６参照）が設けられている。この球送出装置３２又はその上流側には、待機しているパチンコ球を検出する送出待機球検出センサ３３（図６参照）が設けられている。
【００２０】
次に、図３乃至図５を用いて球発射装置１７の構成を説明する。
図３に示すように、球発射装置１７の取付ベース３４の上部には、球供給路３５が取付ベース３４の裏面方向に延びるように一体成形され、この球供給路３５が遊技盤２０の貫通孔３６に挿通されて遊技盤２０の裏面側の発射球用流下路１４に接続されている。これにより、球タンク１２から発射球用流下路１４へ流下したパチンコ球が、球発射装置１７の球供給路３５に供給される。
【００２１】
また、図４に示すように、球供給路３５の出口前方には、球供給路３５から流れ出るパチンコ球を発射位置へ誘導する横断面Ｖ字形の誘導レール３７（図５参照）と、そのパチンコ球を受け止める受止部材３８が配置され、それぞれネジ３９，４０で取付ベース３４の前面に固定されている。これら誘導レール３７と受止部材３８の下端部間の隙間に、パチンコ球の下部が嵌まり込んで、パチンコ球が静止した位置がパチンコ球の発射位置となる。
【００２２】
更に、パチンコ球の発射位置の下方には、リニアソレノイド４１が上向きに配置されている。このリニアソレノイド４１は、取付ベース３４の前面に一体成形されたソレノイド収納部４２に嵌め込まれて固定されている。リニアソレノイド４１のプランジャ４３は、スプリング等の付勢手段により下方に付勢され、このプランジャ４３の先端部に、パチンコ球を打撃する打球部４４が取り付けられている。尚、プランジャ４３を下方に付勢するスプリング等の付勢手段を省略して、プランジャ４３を重力のみで下方に付勢するようにしても良い。リニアソレノイド４１は、ハーネス４５を介して遊技盤２０の裏面側の制御回路５６（図６参照）に接続されている。
【００２３】
また、図５に示すように、取付ベース３４の前面側には、球発射装置１７を覆うように装飾カバー２６が取り付けられている。この装飾カバー２６によって球発射装置１７が覆い隠されて遊技者側から見えないようになっている。
【００２４】
装飾カバー２６の側面部の所定箇所には、弾性変形可能な係止爪４８が形成され、この係止爪４８を取付ベース３４の係合孔４９（図４参照）に弾性係合させることで、装飾カバー２６が取付ベース３４に脱着可能に固定されている。また、装飾カバー２６の上面部には、発射位置から上方に発射されたパチンコ球が通過する発射口５０が形成されている。
【００２５】
以上説明したように、球発射装置１７は、全ての構成部品が取付ベース３４に組み付けられてユニット化され、この取付ベース３４の取付辺部４６，４７を遊技盤２０の前面にネジ５１等で固定することで、球発射装置１７が遊技盤２０に取り付けられている。球発射装置１７をユニット化することで、球発射装置１７を遊技盤２０に簡単に取り付けることができると共に、球発射装置１７の各部品間の位置精度を確保しやすくしている。
【００２６】
更に、本実施形態では、図３に示すように、次に発射するパチンコ球を球発射装置１７の発射位置へ送り出す整流器５２が、球発射装置１７にユニット化されて遊技盤２０に取り付けられている。この整流器５２は、次のように構成されている。球供給路３５の下面に、次に発射するパチンコ球の下部が嵌まり込む球止め孔５３が形成され、この球止め孔５３に嵌まり込んだパチンコ球を上方に押し出すための押出部材５４がプランジャ４３に連結固定され、プランジャ４３の上下動に連動して押出部材５４が上下動するようになっている。
【００２７】
発射操作ハンドル３１が発射操作されると、その操作量に応じた電圧でリニアソレノイド４１のオン／オフが繰り返されて、プランジャ４３が上下に往復運動する。プランジャ４３が上方に移動すると、打球部４４が上方に移動するため、発射位置に受け止められたパチンコ球が、打球部４４で上方に打ち出されて遊技盤２０の遊技領域２２へ飛び出していく。また、プランジャ４３が上方に移動すると、押出部材５４が上方に移動するため、球止め孔５３に嵌まり込んだパチンコ球が、押出部材５４で上方に押し出されて発射位置へ送り出される。
【００２８】
一方、プランジャ４３が下方に移動すると、押出部材５４が下方に移動するため、発射位置へ送り出されたパチンコ球の次のパチンコ球が球止め孔５３に嵌まり込んで停止し、このパチンコ球で後続のパチンコ球が受け止められる。
【００２９】
このようにして、球発射装置１７が発射位置にセットされたパチンコ球を発射する毎に、整流器５２の押出部材５４が次に発射するパチンコ球を球発射装置１７の発射位置へ送り出す。
【００３０】
また、球発射装置１７又はその上流側には、発射のために待機しているパチンコ球を検出する発射待機球検出センサ５５（図６参照）が設けられている。この発射待機球検出センサ５５は、発射位置に受け止められたパチンコ球を検出するようにしても良いが、球止め孔５３に嵌まり込んだパチンコ球を検出するようにしても良い。或は、球止め孔５３に嵌まり込んだパチンコ球よりも上流側の発射球用流下路１４内のパチンコ球を検出するようにしても良い。
【００３１】
以上のように構成したパチンコ機の球発射装置１７と球送出装置３２の動作は、パチンコ機の制御回路５６（図６参照）によって制御される。この制御回路５６は、図７に示す球発射・球送出制御プログラムを実行することで、発射操作ハンドル３１が発射操作され且つ発射待機球検出センサ５５と送出待機球検出センサ３３で発射待機球と送出待機球が両方とも検出されているときに、球発射装置１７を１球分だけ発射動作させる毎に球送出装置３２を１球分だけ送出動作させる処理を繰り返す。これにより、球送出装置３２で送り出したパチンコ球の数と球発射装置１７で発射したパチンコ球の数とを整合させる。
【００３２】
図７に示す球発射・球送出制御プログラムは、所定時間毎に実行される。本プログラムが起動されると、まず、ステップ１０１で、タンク内球切検出センサ１９がオンか否かによって、球タンク１２内にパチンコ球が貯溜されているか否かを判定し、もし、球タンク１２内にパチンコ球が貯溜されていなければ、ステップ１０２に進み、球補給指示をホールコンピュータ等に出力して、本プログラムを終了する。
【００３３】
その後、パチンコ島の球補給装置（図示せず）から球タンク１２にパチンコ球が補給されて、ステップ１０１でタンク内球切検出センサ１９がオン（球タンク１２内にパチンコ球が貯溜されている）と判定された時点で、ステップ１０３に進み、発射操作ハンドル３１が発射操作されたか否かを判定し、発射操作ハンドル３１が発射操作されれば、ステップ１０４に進み、発射待機球検出センサ５５がオンか否かによって、球発射装置１７で発射されるために待機しているパチンコ球（発射待機球）が有るか否かを判定する。もし、発射待機球が無ければ、ステップ１１０に進み、報知ランプ５７（図６参照）を報知動作（例えば点灯）させて、本プログラムを終了する。
【００３４】
一方、発射操作ハンドル３１が発射操作され且つ発射待機球が有ると判定された場合は、ステップ１０５に進み、報知ランプ５７が報知動作（例えば点灯）していれば、それを停止させた後、ステップ１０６に進み、送出待機球検出センサ３３がオンか否かによって、球送出装置３２で送り出されるために待機しているパチンコ球（送出待機球）が有るか否かを判定する。もし、送出待機球が無ければ、そのまま本プログラムを終了する。
【００３５】
これに対して、発射操作ハンドル３１が発射操作され且つ発射待機球と送出待機球とが両方とも有ると判定された場合は、ステップ１０７に進み、１球分発射制御を実施して球発射装置１７を１球分だけ発射動作させた後、ステップ１０８に進み、発射球検出センサ（図示せず）がオンしたか否かによって、パチンコ球が実際に発射されたか否かを判定し、パチンコ球が発射されていれば、ステップ１０９に進み、１球分送出制御を実施して球送出装置３２を１球分だけ送出動作させる。これにより、発射操作ハンドル３１が発射操作され且つ発射待機球と送出待機球とが両方とも有ると判定されている期間中は、球発射装置１７が１球分の発射動作する毎に球送出装置３２が１球分の送出動作する処理が繰り返えされる。尚、発射球検出センサを設けない場合には、ステップ１０８の処理を省略しても良い。
【００３６】
以上説明した本実施形態では、遊技盤２０の前面に、球発射装置１７を取り付ける構成としたので、遊技盤２０の交換時に、球発射装置１７を取り付けた状態の遊技盤２０を交換することができ、新たに組み付ける遊技盤２０は、遊技盤２０と球発射装置１７との位置め状態を維持したままパチンコ機に組み付けることができる。これにより、遊技盤２０の交換時に遊技盤２０と球発射装置１７との位置関係がずれることが全くなくなり、遊技盤２０の交換時にパチンコ球の飛び具合を調整し直す必要がなくなり、遊技盤２０の交換作業を能率良く行うことができる。
【００３７】
また、遊技盤２０の交換サイクルと同じサイクルで球発射装置１７を交換することができるので、球発射装置１７の経時劣化（摩耗等）によりパチンコ球の飛び具合が不安定になることを未然に防止できると共に、球発射装置１７の耐久性の設計基準を従来よりも緩和することができ、その分、球発射装置１７のコストを低減することができる。
【００３８】
また、遊技盤２０の下方には球発射装置１７を配置しないので、遊技盤２０の下方への拡大が球発射装置１７で制限されることがなくなり、遊技盤２０の大型化の要求も満たすことができる。しかも、遊技盤２０の前面に球発射装置１７を設けることによってパチンコ球の打ち上げ距離を短くすることができるので、球発射装置１７の発射力を小さくすることができ、球発射装置１７の小型化・低消費電力化の要求も満たすことができる。
【００３９】
更に、本実施形態では、遊技盤２０の前面上部又は前面中間部に、球発射装置１７を設けるようにしたので、遊技盤２０の下方に球発射装置１７を設ける場合に比べてパチンコ球の打ち上げ距離を大幅に短くすることができ、球発射装置１７の更なる小型化・低消費電力化を実現することができる。
【００４０】
しかしながら、球発射装置１７の取付位置は、遊技盤２０の前面上部や前面中間部に限定されるものではなく、遊技盤２０の前面下部に、球発射装置１７を設けるようにしても良い。
【００４１】
また、本実施形態では、球発射装置１７が発射位置にセットされたパチンコ球を発射する毎に、整流器５２が次に発射するパチンコ球を発射位置へ送り出すようにしたので、発射位置にセットされたパチンコ球に後続のパチンコ球が接触せずに、パチンコ球を発射することができて、パチンコ球の飛び方向や飛び力を安定させることができ、パチンコ球の飛びむらを少なくすることができる。
【００４２】
しかも、整流器５２を球発射装置１７にユニット化したので、整流器５２と球発射装置１７との位置精度を容易に確保することができる。また、球発射装置１７のリニアソレノイド４１を利用して整流器５２を動作させるようにしたので、球発射装置１７と整流器５２の動作を、複雑な制御を用いることなく機械的に連動させて簡単に同期させることができる。
【００４３】
しかしながら、整流器５２は、必ずしも球発射装置１７にユニット化する必要はなく、整流器を球発射装置とは別体で設けて、専用の駆動源（例えばソレノイド）で整流器を動作させるようにしても良い。この場合でも、遊技盤に整流器を設けるようにすれば、整流器と球発射装置を両方とも遊技盤に設けることになるので、整流器と球発射装置との位置精度を容易に確保することができる。
【００４４】
また、本実施形態では、球発射装置１７を装飾カバー２６で覆うようにしたので、球発射装置１７がガラス窓２８のガラス部分に位置していても、遊技者側から見えなくなり、遊技者に違和感を感じさせずに済む。これにより、球発射装置１７を隠すためにガラス窓２８の枠部分を幅広に形成する必要がなくなり、ガラス窓２８のガラス面積、ひいては遊技領域２２を狭くせずに済む。
【００４５】
しかしながら、必ずしも装飾カバー２６を球発射装置１７に取り付ける必要はなく、ガラス窓２８の枠部分を幅広に形成して、その枠部分で球発射装置１７を隠すようにしても良い。
【００４６】
また、本実施形態では、球発射装置１７を、リニアソレノイド４１で打球部４４を往復運動させてパチンコ球を発射する構成にしたので、ロータリーソレノイドやモータでレバー形状の打球槌を回転させてパチンコ球を発射する構成と比較して、小型のリニアソレノイド４１と小型の打球部４４とを直線的にコンパクトに配置した構成とすることができ、球発射装置１７を更に小型化することができる。しかも、リニアソレノイド４１は、ロータリソレノイドやモータに比べて部品コストが安いため、球発射装置１７を低コスト化することができる。
【００４７】
しかしながら、球発射装置１７の構成は、適宜変更しても良く、例えばロータリソレノイドで打球部を回転させてパチンコ球を発射する構成にしても良い。また、発射したパチンコ球を遊技領域に案内する案内レールを球発射装置１７にユニット化するようにしても良い。
【００４８】
また、上記実施形態では、遊技盤２０の左側に球発射装置１７を配置した構成としたが、これとは反対に、遊技盤２０の右側に球発射装置１７を配置した構成としても良い。
【００４９】
また、上記実施形態では、パチンコ機１１の前面側に２つの球皿２９，３０を設けた構成としたが、パチンコ機１１の前面側に球皿を１皿のみ設けた構成としても良い。
【００５０】
【発明の効果】
以上の説明から明らかなように、本発明の請求項１のパチンコ機によれば、遊技盤の前面に球発射装置を設けた構成としたので、球発射装置を取り付けた状態の遊技盤を交換することができて、遊技盤の交換時にパチンコ球の飛び具合を調整し直す必要がなくなり、遊技盤の交換作業を能率良く行うことができる。しかも、遊技盤の下方への拡大が球発射装置で制限されることがなくなり、遊技盤の大型化に対応することができると共に、遊技盤の下方に球発射装置を設ける場合に比べてパチンコ球の打ち上げ距離を短くすることができ、球発射装置を小型化・低消費電力化することができる。
【００５１】
更に、請求項２では、遊技盤の前面上部又は前面中間部に、球発射装置を設けるようにしたので、パチンコ球の打ち上げ距離を大幅に短くすることができ、球発射装置を更に小型化・低消費電力化することが可能となる。
【００５２】
また、請求項３では、球発射装置が発射動作する毎に次に発射するパチンコ球を球発射装置に供給する整流器を遊技盤に設けるようにしたので、発射するパチンコ球が後続のパチンコ球の圧力を受けずに発射されるようになり、パチンコ球の飛びむらを少なくすることができる。しかも、整流器と球発射装置を両方とも遊技盤に設けるようにしたので、整流器と球発射装置との位置精度を容易に確保することができる。
【００５３】
また、請求項４では、球発射装置を覆い隠す装飾カバーを設けるようにしたので、遊技盤の前面に球発射装置を設けても、遊技者に違和感を感じさせずに済むと共に、ガラス窓の面積、ひいては遊技領域を狭くせずに済む。
【００５４】
また、請求項５では、球発射装置を、リニアソレノイドで打球部を往復運動させてパチンコ球を発射するように構成したので、ロータリーソレノイドやモータを用いた構成に比べて球発射装置を小型化・低コスト化することができる。
【図面の簡単な説明】
【図１】本発明の一実施形態を示すパチンコ機の正面図
【図２】パチンコ機の裏面図
【図３】装飾カバーを外した状態を示す球発射装置の縦断側面図
【図４】装飾カバーを外した状態を示す球発射装置の正面図
【図５】装飾カバーを取り付けた状態を示す球発射装置の斜視図
【図６】パチンコ機の電気的構成を示すブロック図
【図７】球発射・球送出制御プログラムの処理の流れを示すフローチャート
【符号の説明】
１１…パチンコ機、１２…球タンク、１４…発射球用流下路、１７…球発射装置、２０…遊技盤、２２…遊技領域、２６…装飾カバー、３１…発射操作ハンドル、３２…球送出装置、３３…送出待機球検出センサ、３４…取付ベース、３５…球供給路、３７…誘導レール、３８…受止部材、４１…リニアソレノイド、４３…プランジャ、４４…打球部、５２…整流器、５３…球止め孔、５４…押出部材、５５…発射待機球検出センサ、５６…制御回路。
【図１】
2004008353.tif 000003
【図２】
2004008353.tif 000004
【図３】
2004008353.tif 000005
【図４】
2004008353.tif 000006
【図５】
2004008353.tif 000007
【図６】
2004008353.tif 000008
【図７】
2004008353.tif 000009